(57)【要約】【課題】低コストで、クロストークが少なくかつ照明ムラの少ない高画質の映像が得られる映像表示装置を提供する。【解決手段】時分割で少なくとも３つの異なる方向にそれぞれ第１、第２、第３の光束を射出する照明手段と、第１の光束を照明光とする第１の映像と、第２の光束を照明光とする第２の映像と、第３の光束を照明光とする第３の映像とを時分割で表示可能な透過型表示素子とを具備し、照明手段は、第１の光束を射出する第１光源２０と、第２の光束を射出する第２光源２５と、第３の光束を射出する第３光源２９と、第１光源２０から射出された第１の光束を第１の観察者の方向のみに射出する第１導光板２１と、第２光源２５から射出された第２の光束を第２の観察者の方向のみに射出する第２導光板２２と、第３光源２９から射出された第３の光束を第３の観察者の方向のみに射出する第３導光板２３とを具備する。【選択図】        図６
2007033633.tif 000002
【特許請求の範囲】
【請求項１】
複数の観察者のそれぞれに対応する映像を表示可能な１つの表示画面を有する映像表示装置であって、
時分割で少なくとも３つの異なる方向にそれぞれ第１、第２、第３の光束を射出する照明手段と、
前記照明手段から射出された前記第１の光束を照明光とする第１の映像と、前記第２の光束を照明光とする第２の映像と、前記第３の光束を照明光とする第３の映像とを時分割で表示可能な透過型表示素子と、
を具備し、
前記照明手段は、
前記第１の光束を射出する第１の光源と、
前記第２の光束を射出する第２の光源と、
前記第３の光束を射出する第３の光源と、
前記第１の光源から射出された第１の光束を第１の観察者の方向のみに射出する第１の導光板と、
前記第２の光源から射出された第２の光束を第２の観察者の方向のみに射出する第２の導光板と、
前記第３の光源から射出された第３の光束を第３の観察者の方向のみに射出する第３の導光板と、
を具備することを特徴とする映像表示装置。
【請求項２】
前記第１、第２、第３の各光束のうち少なくとも１つは、その射出方向が前記透過型表示素子の表示面に対して法線となる中央照明光束であることを特徴とする請求項１に記載の映像表示装置。
【請求項３】
前記中央照明光束の照明範囲は、他の光束による照明範囲と異なっていることを特徴とする請求項２に記載の映像表示装置。
【請求項４】
前記第１、第２の導光板の間と、前記第２、第３の導光板の間の少なくとも一方に、拡散板が配置されていることを特徴とする請求項１乃至３のいずれか１つに記載の映像表示装置。
【請求項５】
前記第１の導光板は、前記中央照明光束を射出することを特徴とする請求項４に記載の映像表示装置。
【請求項６】
前記第１、第２、第３の導光板の前面には視野選択素子が配置され、前記視野選択素子は法線方向に入射した光はそのまま透過し、角度を持って入射した光は拡散して透過することを特徴とする請求項３に記載の映像表示装置。
【請求項７】
前記第１、第２、第３の光源は時分割で順次発光され、前記透過型表示素子は、前記第１、第２、第３の映像を時分割で順次表示することを特徴とする請求項１に記載の映像表示装置。
【請求項８】
前記第１、第２、第３の光源のうち少なくとも１つの光源は、他の光源の点灯タイミングと同一であることを特徴とする請求項１に記載の映像表示装置。
【請求項９】
複数の観察者のそれぞれに対応する映像を表示可能な１つの表示画面を有する映像表示装置であって、
第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、
前記照明手段から射出された前記第１の光束を照明光とする第１の映像と、前記第２の光束を照明光とする第２の映像とを時分割で表示可能な透過型表示素子と、
前記照明手段と、前記透過型表示素子との間に配置され、前記照明手段からの第１、第２の光束を拡散する拡散機能と、該第１、第２の光束を透過する透過機能とを備えた拡散透過素子と、
前記拡散透過素子の前記拡散機能と透過機能とを切り替える切り替え手段と、
を具備することを特徴とする映像表示装置。
【請求項１０】
前記拡散透過素子はネマティック液晶からなり、前記切り替え手段での切り替えは、印加する電圧のＯＮ／ＯＦＦに基づいて行われることを特徴とする請求項９に記載の映像表示装置。
【請求項１１】
前記拡散透過素子が拡散素子として機能しているときは、前記第１の光束と、第２の光束とは同時に射出されることを特徴とする請求項９に記載の映像表示装置。
【請求項１２】
複数の観察者のそれぞれに対応する映像を表示可能な１つの表示画面を有する映像表示装置であって、
第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する第１の照明手段と、
前記第１の照明手段の背後に配置され、前記第１の照明手段を透過可能であって指向性を持たない光束を射出する第２の照明手段と、
を具備することを特徴とする映像表示装置。
【請求項１３】
複数の観察者のそれぞれに対応する映像を表示可能な１つの表示画面を有する映像表示装置であって、
第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、
前記照明手段から射出された前記第１の光束を照明光とする第１の映像と、前記第２の光束を照明光とする第２の映像とを時分割で表示可能な透過型表示素子と、
前記照明手段と、前記透過型表示素子との間に配置され、前記第１の導光板からの第１の光束と、前記第２の導光板からの第２の光束とで、拡散の度合いを異ならせることが可能な視野選択素子と、
を具備することを特徴とする映像表示装置。
【請求項１４】
複数の観察者のそれぞれに対応する映像を表示可能な１つの表示画面を有する映像表示装置であって、
第１の光源と、第１の照明レンズと、該第１の光源と該第１の照明レンズの組み合わせにより所定のＮＡで入射された第１の光束を第１の観察者の方向のみに射出する第１の導光板とを備えた第１の照明手段と、
第２の光源と、第２の照明レンズと、該第２の光源と該第２の照明レンズの組み合わせにより前記所定のＮＡとは異なるＮＡで入射された第２の光束を第２の観察者の方向のみに射出する第２の導光板とを備えた第２の照明手段と、
前記第１の照明手段から射出された前記第１の光束を照明光とする第１の映像と、前記第２の照明手段から射出された前記第２の光束を照明光とする第２の映像とを時分割で表示可能な透過型表示素子と、
を具備することを特徴とする映像表示装置。
【請求項１５】
複数の観察者のそれぞれに対応する映像を表示可能な１つの表示画面を有する映像表示装置であって、
第１の光源と、所定の形状を有する斜面部を有し、該第１の光源から射出された第１の光束を第１の観察者の方向のみに射出する第１の導光板と、第２の光源と、前記所定の形状とは異なる形状を有する斜面部を有し、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、
前記照明手段から射出された前記第１の光束を照明光とする第１の映像と、前記第２の光束を照明光とする第２の映像とを時分割で表示可能な透過型表示素子と、
を具備することを特徴とする映像表示装置。
【請求項１６】
複数の観察者のそれぞれに対応する映像を表示可能な１つの表示画面を有する映像表示装置であって、
第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、
前記照明手段から射出された前記第１の光束を照明光とする第１の映像と、前記第２の光束を照明光とする第２の映像とを時分割で表示可能な透過型表示素子と、
を具備し、
前記第１の導光板及び前記第２の導光板は、射出角度の異なる他の導光板と交換可能であることを特徴とする映像表示装置。
【請求項１７】
複数の観察者のそれぞれに対応する映像を表示可能な１つの表示画面を有する映像表示装置であって、
第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、
前記照明手段から射出された前記第１の光束を照明光とする第１の映像と、前記第２の光束を照明光とする第２の映像とを時分割で表示可能な透過型表示素子と、
前記照明手段と、前記透過型表示素子との間に配置され、前記第１の光束の射出角度と前記第２の光束の射出角度とを変化させる作用を有するプリズムシートと、
を具備することを特徴とする映像表示装置。
【発明の詳細な説明】
【技術分野】
【０００１】
本発明は映像表示装置に関するものである。
【背景技術】
【０００２】
１つの表示面を有し、それぞれの見る方向に応じた映像が観察可能な映像表示装置が従来より知られている。例えば、日本国特許第３０７２８６６号公報には、マトリクス照明とレンチキュラレンズ等を利用して２方向から映像を観察できるようにした表示装置が開示されている。
【０００３】
特開２００５−７７４３７号は、３つの光源に対して１つのレンチキュラレンズを対応させ、３方向から画像を観察できるようにした画像表示装置を開示している。
【０００４】
また、日本国特許第３５８５７８１号公報には、第１、第２楔型導光体と、該第１、第２楔導光体上に配置されて該第１、第２楔導光体から出射される第１光源及び第２光源の光を第１、第２視差に対応する角度に変換するプリズムフィルムと、該プリズムフィルム上に配置された透過型表示パネルと、第１、第２の視差画像を表示パネルに表示させる同期駆動手段とを具備する立体表示装置が開示されている。
【０００５】
【特許文献１】日本国特許第３０７２８６６号公報
【特許文献２】特開２００５−７７４３７号
【発明の開示】
【発明が解決しようとする課題】
【０００６】
日本国特許第３０７２８６６号公報では、正面からの観察に対応していないため、例えば車載用の画像表示装置に応用することを考えた場合、運転席と助手席からは画像を観察できるが、後部席の搭乗者は画像を観察できない、などの不都合が生ずる。また、レンチキュラレンズを使った光学系では、大きな角度で左右映像を分離しようとすると、焦点距離を小さくしなければならず、曲率が非常に大きくなり、それとともに収差が増大してしまうため、結果的にクロストークの影響が大きくなるという問題もある。
【０００７】
また、特開２００５−７７４３７号では、正面での観察も可能であるが、レンチキュラレンズを使っているので、上述したことと同様の問題がある。
【０００８】
日本国特許第３５８５７８１号公報では、レンチキュラレンズの代わりにプリズムフィルムを用いている。プリズムフィルムはエッジ部分が多いため、散乱光や不要な迷光が発生してクロストークの原因となる。また、プリズムフィルムは通常、特定の方向の光の指向性を変化させるように設計されるため、３方向の入射光の制御は困難である。
【０００９】
本発明は、このような課題に着目してなされたものであり、その目的とするところは、クロストークが少ない高画質の映像が得られる映像表示装置及び車載用映像表示装置を提供することにある。
【００１０】
また、例えば右、左、正面等、多方向からの映像を観察できる映像表示装置及び車載用映像表示装置を提供することにある。
【課題を解決するための手段】
【００１１】
上記の目的を達成するために、本発明の第１の態様は、複数の観察者のそれぞれに対応する映像を表示可能な１つの表示画面を有する映像表示装置であって、時分割で少なくとも３つの異なる方向にそれぞれ第１、第２、第３の光束を射出する照明手段と、前記照明手段から射出された前記第１の光束を照明光とする第１の映像と、前記第２の光束を照明光とする第２の映像と、前記第３の光束を照明光とする第３の映像とを時分割で表示可能な透過型表示素子と、を具備し、前記照明手段は、前記第１の光束を射出する第１の光源と、前記第２の光束を射出する第２の光源と、前記第３の光束を射出する第３の光源と、前記第１の光源から射出された第１の光束を第１の観察者の方向のみに射出する第１の導光板と、前記第２の光源から射出された第２の光束を第２の観察者の方向のみに射出する第２の導光板と、前記第３の光源から射出された第３の光束を第３の観察者の方向のみに射出する第３の導光板と、を具備する。このように、３枚構成の導光板にすることにより、左右２方向だけでなく、第３の方向への照明も可能となる。
【００１２】
また、本発明の第２の態様は、第１の態様において、前記第１、第２、第３の各光束のうち少なくとも１つは、その射出方向が前記透過型表示素子の表示面に対して法線となる中央照明光束である。これによって、正面方向への照明も可能となる。
【００１３】
また、本発明の第３の態様は、第２の態様において、前記中央照明光束の照明範囲は、他の光束による照明範囲と異なっている。例えば、車内環境を考えると、運転手、助手席は表示素子に近く広い観察範囲を必要とするが、距離の遠い後部座席中央部からの観察では、狭い観察範囲でよい。このように中央照明光束の照明範囲を、他の光束による照明範囲と異ならせることによりどの観察者に対しても見やすい映像を提供することができる。
【００１４】
また、本発明の第４の態様は、第１乃至第３のいずれか１つの態様において、前記第１、第２の導光板の間と、前記第２、第３の導光板の間の少なくとも一方に、拡散板が配置されている。このような構成によれば、３つの光束の広がりを独立して制御することが可能になる。
【００１５】
また、本発明の第５の態様は、第４の態様において、前記第１の導光板は、前記中央照明光束を射出する。第３の態様の具体的な実施形態であり、法線方向への光束は拡散板を透過しないため狭い照明範囲となり、他の方向への光束は拡散板を透過することとなるため広い照明範囲となる。
【００１６】
また、本発明の第６の態様は、第３の態様において、前記第１、第２、第３の導光板の前面には視野選択素子が配置され、前記視野選択素子は法線方向に入射した光はそのまま透過し、角度を持って入射した光は拡散して透過する。第３の態様の具体的な実施形態であり、効果は第５の態様と同様である。
【００１７】
また、本発明の第７の態様は、第１の態様において、前記第１、第２、第３の光源は時分割で順次発光され、前記透過型表示素子は、前記第１、第２、第３の映像を時分割で順次表示する。このような構成によれば、３方向にそれぞれ異なる映像を提供することが可能になる。
【００１８】
また、本発明の第８の態様は、第１の態様において、前記第１、第２、第３の光源のうち少なくとも１つの光源は、他の光源の点灯タイミングと同一である。このような構成によれば、３つの観察領域のうちの２つの観察領域において同じ映像を観察することができる。
【００１９】
また、本発明の第９の態様は、複数の観察者のそれぞれに対応する映像を表示可能な１つの表示画面を有する映像表示装置であって、第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、前記照明手段から射出された前記第１の光束を照明光とする第１の映像と、前記第２の光束を照明光とする第２の映像とを時分割で表示可能な透過型表示素子と、前記照明手段と、前記透過型表示素子との間に配置され、前記照明手段からの第１、第２の光束を拡散する拡散機能と、該第１、第２の光束を透過する透過機能とを備えた拡散透過素子と、前記拡散透過素子の前記拡散機能と透過機能とを切り替える切り替え手段と、を具備する。複数の異なる方向の指向性をもつ照明の場合、方向により異なる映像を観察する場合には適しているが、同じ映像をどの方向からでも観察したい場合には、各指向性の境界部分で輝度が低いなどで見づらい映像となってしまう。第９の態様のように、無指向性照明と切り換え可能とすることで両方の場面で観察しやすい映像が提供できる。
【００２０】
また、本発明の第１０の態様は、第９の態様において、前記拡散透過素子はネマティック液晶からなり、前記切り替え手段での切り替えは、印加する電圧のＯＮ／ＯＦＦに基づいて行われる。
【００２１】
また、本発明の第１１の態様は、第９の態様において、前記拡散透過素子が拡散素子として機能しているときは、前記第１の光束と、第２の光束とは同時に射出される。複数の異なる方向の指向性をもつ照明の場合、方向により異なる映像を観察する場合には適しているが、同じ映像をどの方向からでも観察したい場合には、各指向性の境界部分で輝度が低いなどで見づらい映像となってしまう。第１１の態様のように、無指向性照明と切り換え可能とすることで両方の場面で観察しやすい映像が提供できる。
【００２２】
また、本発明の第１２の態様は、複数の観察者のそれぞれに対応する映像を表示可能な１つの表示画面を有する映像表示装置であって、第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する第１の照明手段と、前記第１の照明手段の後面に配置され、前記第１の照明手段を透過可能であって指向性を持たない光束を射出する第２の照明手段と、を具備する。このような構成によれば、拡散バックライトを点灯したときに無指向性照明となり、左右方向だけではなく正面方向からも見やすい映像が提供できる。
【００２３】
また、本発明の第１３の態様は、複数の観察者のそれぞれに対応する映像を表示可能な１つの表示画面を有する映像表示装置であって、第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、前記照明手段から射出された前記第１の光束を照明光とする第１の映像と、前記第２の光束を照明光とする第２の映像とを時分割で表示可能な透過型表示素子と、前記照明手段と、前記透過型表示素子との間に配置され、前記第１の導光板からの第１の光束と、前記第２の導光板からの第２の光束とで、拡散の度合いを異ならせることが可能な視野選択素子と、を具備する。このような構成によれば、視野選択素子により第１光束の光を大きく拡散し、第２光束の光は小さな拡散にすることが可能である。運転者の注意を妨げずに、助手席と後部座席にＴＶ映像などを提供することができる。
【００２４】
また、本発明の第１４の態様は、複数の観察者のそれぞれに対応する映像を表示可能な１つの表示画面を有する映像表示装置であって、第１の光源と、第１の照明レンズと、該第１の光源と該第１の照明レンズの組み合わせにより所定のＮＡで入射された第１の光束を第１の観察者の方向のみに射出する第１の導光板とを備えた第１の照明手段と、第２の光源と、第２の照明レンズと、該第２の光源と該第２の照明レンズの組み合わせにより前記所定のＮＡとは異なるＮＡで入射された第２の光束を第２の観察者の方向のみに射出する第２の導光板とを備えた第２の照明手段と、前記第１の照明手段から射出された前記第１の光束を照明光とする第１の映像と、前記第２の照明手段から射出された前記第２の光束を照明光とする第２の映像とを時分割で表示可能な透過型表示素子と、を具備する。このような構成によれば、導光板端面に入射する光のＮＡが異なることにより、それぞれの導光板から射出される光の視野角の大きさが異なり、それぞれの観察環境に合わせた視野角を設定することが可能である。
【００２５】
また、本発明の第１５の態様は、複数の観察者のそれぞれに対応する映像を表示可能な１つの表示画面を有する映像表示装置であって、第１の光源と、所定の形状を有する斜面部を有し、該第１の光源から射出された第１の光束を第１の観察者の方向のみに射出する第１の導光板と、第２の光源と、前記所定の形状とは異なる形状を有する斜面部を有し、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、前記照明手段から射出された前記第１の光束を照明光とする第１の映像と、前記第２の光束を照明光とする第２の映像とを時分割で表示可能な透過型表示素子と、を具備する。このような構成によれば、２枚の導光板の斜面部の形状を異なる形状とすることで、それぞれの導光板が射出する光の視野角の大きさを異なるものとすることができる。それぞれの観察環境に合わせた視野角を設定することが可能である。
【００２６】
また、本発明の第１６の態様は、複数の観察者のそれぞれに対応する映像を表示可能な１つの表示画面を有する映像表示装置であって、第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、前記照明手段から射出された前記第１の光束を照明光とする第１の映像と、前記第２の光束を照明光とする第２の映像とを時分割で表示可能な透過型表示素子と、を具備し、前記第１の導光板及び前記第２の導光板は、射出角度の異なる他の導光板と交換可能である。このような構成によれば、射出角度の異なる導光板と交換可能となることで、表示装置の配置される場所に合わせた照明の射出方向の設定が可能である。
【００２７】
また、本発明の第１７の態様は、複数の観察者のそれぞれに対応する映像を表示可能な１つの表示画面を有する映像表示装置であって、第１の光源と、該第１の光源から射出された第１の光束を第１の観察者の方向のみに射出する第１の導光板と、第２の光源と、該第２の光源から射出された第２の光束を第２の観察者の方向のみに射出する第２の導光板とを少なくとも備え、前記第１、第２の光束を時分割で少なくとも２つの異なる方向にそれぞれ射出する照明手段と、前記照明手段から射出された前記第１の光束を照明光とする第１の映像と、前記第２の光束を照明光とする第２の映像とを時分割で表示可能な透過型表示素子と、前記照明手段と、前記透過型表示素子との間に配置され、前記第１の光束の射出角度と前記第２の光束の射出角度とを変化させる作用を有するプリズムシートと、を具備する。このような構成によれば、プリズムシートを挿入することができることで、表示装置の配置される場所に合わせた照明の射出方向の設定が可能である。
【発明の効果】
【００２８】
本発明によれば、低コストで、クロストークが少なくかつ照明ムラの少ない高画質の映像が得られる。
【発明を実施するための最良の形態】
【００２９】
以下、図面を参照して本発明の実施形態を詳細に説明する。本発明では、少なくとも２人以上の観察者に対してそれぞれに対応する映像を表示可能な１つの表示画面を有する映像表示装置を対象にしている。
【００３０】
（第１実施形態）
第１実施形態は観察者が左右の２方向に配置された場合の実施形態である。図１は、２人の観察者に対してそれぞれに対応する映像を表示可能な表示パネル２４から射出される映像の観察可能な範囲を水平断面で表わした図である。表示パネル２４は、第１観察者領域３６に存在する第1観察者に対して第1映像を射出するとともに、第２観察者領域３７に存在する第２観察者に対して第１映像とは異なる第２映像を射出することが可能である。この場合、第１観察者領域３６と第２観察者領域３７間の中央領域３５は表示パネル２４からの映像が到達しない部分であり、当該映像を見ることができない。
【００３１】
図２は、２人の観察者に対してそれぞれに対応する映像を表示可能な映像表示装置の概略構成を示す図であり、観察者の位置から順に、透過型表示素子２４、光拡散素子１２３、第１導光板２１、第２導光板２２が配置されている。このようにここでは、第１導光板２１と第２導光板２２とを二重に重ねた構成となっている。また、第１導光板２１の一端に隣接して第１光源２０が配置され、第２導光板２２の、前記一端と反対側の端部に隣接して第２光源２５が配置されている。すなわち、第１光源２０と第２光源２５とは、第１導光板２１と第２導光板２２とで左右異なる位置に配置されている。
【００３２】
光拡散素子１２３は、照明ムラなどを軽減するために第１導光板２１と透過型表示素子２４の間に配置される。ここでは水平方向に２つの指向性となるように映像を分離しているため、水平方向への拡散が強すぎると、２つの映像が混ざってしまい２重の映像として見えてしまう恐れがある。よって、ここでは垂直方向の拡散よりも水平方向の拡散を抑えた光拡散素子を用いるのが好ましい。具体的には、水平方向の拡散強度分布が半値全角で３０度以下になるようにすることが望ましい。
【００３３】
また、第１導光板２１、第２導光板２２は、透明な部材に特別な溝や傾斜、突起を設けた構成となっており、側面から入射した光を指向性をもったある方向のみに射出するようにしている。第１光源２０，第２光源２５は、第１導光板２１、第２導光板２２の片方向から照明されればなんでもよく、冷陰極管のような柱状光源でもよいし、ＬＥＤなどの光源を並べて使用してもよい。
【００３４】
図３は、２人の観察者に対してそれぞれに対応する映像を表示可能な映像表示装置の照明手段の水平断面図である。光拡散素子１２３の背後に、第１導光板２１と第２導光板２２とは重ねて配置されている。第１導光板２１の一端（図では左端）に隣接して第１光源２０が配置され、第２導光板２２の、第１導光板２１の一端（左端）と反対側の端部（図では右端）に隣接して第２光源２５が配置されている。このようにここでは、第１光源２０と第２光源２５を配置する位置を、第１導光板２１と第２導光板２２とで異ならせている。
【００３５】
以下では、観察者の位置に近づく方向（図では上方向）を前方と考えることにする。第１光源２０から第１導光板２１に入射した光は、第１導光板２１内を全反射しながら伝わっていくが、第１導光板２１の表面またはその一部に特殊な表面処理を施すか、あるいは当該表面を特殊な形状とすることで、第１導光板２１から射出される光が第１映像照明２６として第１観察者方向のみに照明されるようにすることができる。一方、第２光源２５から第２導光板２２に入射した光は、第２導光板２２内を全反射しながら伝わっていくが、第２導光板２２の表面またはその一部に特殊な表面処理を施すか、あるいは当該表面を特殊な形状とすることで、第２導光板２２から射出される光が第２映像照明２７として第２観察者方向のみに照明されるようにすることができる。第１導光板２１と第２導光板２２の配置上の前後関係は任意である。
【００３６】
図４は、２人の観察者に対してそれぞれに対応する映像を表示可能な映像表示装置の具体的な断面構造を示す模式図である。ここでも図３の構成と同様に、第１導光板２１と第２導光板２２とは重ねて配置されるとともに、第１光源２０と第２光源２５を配置する位置を、第１導光板２１と第２導光板２２とで異ならせている。
【００３７】
さらに各導光板２１，２２の後面には、複数の斜面部１２１−１〜１２１−３が所定の間隔でスジ状に延在しており、階段状部分を形成している。第１導光板２１と第２導光板２２とは同一形状であるが、左右の向きが異なっている。第２導光板２２の後方には外光や不要光を吸収するための光吸収部材２８が配置されている。
【００３８】
第１光源２０から射出された光は第１導光板２１に入射し、その前面および後面で全反射を繰り返しながら進んでいくが、斜面部１２１−１〜１２１−３で全反射した光は、第１導光板２１の水平面で全反射した光よりも急角度で前方に反射されるため、第１導光板２１の前面では全反射条件が成立しない。したがって、光は第１映像照明２６として第１観察方向に照明される。
【００３９】
一方、第２光源２５から射出された光は第２導光板２２に入射し、その前面および後面で全反射を繰り返しながら進んでいくが、斜面部１２２−１〜１２２−３で全反射した光は、第２導光板２２の水平面で全反射した光よりも急角度で前方に反射されるため、第１導光板２１の前面では全反射条件が成立しない。したがって、光は第２映像照明２７として第２観察方向へ照明される。
【００４０】
第２光源２５に由来する第２映像照明２７は、途中第１導光板２１を通過するが、斜面部１２１−１〜１２１−３以外のほとんどの部分において、平行平面板を通過するときと同じ効果をもつため、最終的な射出角度は変化しない、また、第２映像照明２７が第１導光板２１の斜面部１２１−１〜１２１−３に入射した場合の角度の変化は、第２観察位置のより外側へ向かう方向、つまり、第１観察方向とは逆方向へ変化するため、クロストークなどに影響することはない。
【００４１】
図中では模式的に描かれているため、斜面の数が片側３本しか描かれていないが、実際には所定のピッチで４本以上配置される。
【００４２】
図５は、２人の観察者に対してそれぞれに対応する映像を表示可能な映像表示装置の駆動タイミングの一例を説明するための図である。透過型表示素子２４上には第１映像（Ａ）と第２映像（Ｂ）が交互に表示されており、第１導光板２１用の光源である第１光源２０と、第２導光板２２用の光源である第２光源２５のＯＮ／ＯＦＦタイミングによって第１観察者領域３６と第２観察者領域３７において観察される映像が決定される。第１光源２０は、第１映像（Ａ）が表示されたときのみＯＮしており、この場合第１観察者は第１映像のみを観察可能である。一方、第２光源２５は第２映像（Ｂ）が表示されたときのみＯＮしており、この場合第２観察者は第２映像のみを観察可能となる。第１光源２０と第２光源２５のタイミングを入れ替えることにより観察できる映像も入れ替わることになる。
【００４３】
また、第１光源２０と第２光源２５とを同じタイミングでＯＮしたとき、あるいは、第１映像と第２映像とが全く同じ映像である場合には第１観察者と第２観察者とは同じ映像を観察することができる。
【００４４】
（第２実施形態）
第２実施形態は観察者が左右及び中央の３方向に配置された場合の実施形態である。第１実施形態では、左右２方向からの観察にしか対応しておらず、正面方向からの観察については考慮されていない。この構成の問題点としては、正面方向への輝度確保ができず、正面からの観察時に暗い映像として見えてしまうという欠点がある。また、車載用表示モニターとして使用する場合に、運転席と助手席の中間に最適化されてしまっており、表示モニターの位置をずらして配置した場合に最適位置で観察できないといった問題が発生する。
【００４５】
このような問題に対する解決手段としては、本実施形態では２重導光板を利用して２方向の指向性を持たせていたが、さらに導光板を１枚正面用として追加することで３方向に対応することが可能である。
【００４６】
また、２方向の照明を指向性のない全方向の照明へと切り換える手段を設けることにより、左右で同じ映像を見るときには、通常の表示装置と同様の指向性のない拡散照明により、どの位置にいても観察可能な表示装置が可能である。
【００４７】
また別の手段としては、２方向の指向性照明のうち、１方の視野角を大きくすることにより、正面方向への輝度も確保することが可能である。
【００４８】
図６は、３方向の指向性照明を実現するための基本的な構成を示す図であり、第１の光束を射出するための第１光源２０および第１導光板２１と、第２の光束を射出するための第２光源２５および第２導光板２２と、第３の光束を射出するための第３光源２９および第３導光板２３とからなり、これらが順番に積み重ねて配置され、第２の光束は第１導光板２１を透過し、第３の光束は第１導光板２１および第２導光板２２を透過し、各光束の射出方向はそれぞれ異なっている。
【００４９】
図２６は、導光板の斜面部を拡大して示す図である。第１、第２の導光板について考えると、水平に入射してくる光を基準にした場合、図２６は第１観察方向へ照明する導光板となっているから、第１観察領域と第２観察領域の境界である、図中の垂直に射出する光線３０がクロストークのない境界となる。そのときの斜面部３１の角度θは４５度である。
【００５０】
また、斜面部３１で反射した光線が導光板の前面で全反射条件を満たしてしまうと、光線は導光板から射出できないので、屈折率をｎとして、全反射してしまう限界の斜面部３１の角度条件を求めると、
ｎ・ｓｉｎ（９０−２θ）＜１、つまり、ｎ・ｃｏｓ２θ＜１
以上より、クロストークがなく、かつ効率良く第１観察方向と第２観察方向とを照明するためには、斜面部３１の角度θの条件は、
θ＜４５度  、  ｎ・ｃｏｓ２θ＜１
を満たさなければならないことがわかる。ちなみに、ｎ＝１．５とすると、２４度＜θ＜４５度となる。特に、第１、第２観察者方向を表示素子の法線に対して３０度と設定すると、θは３０度〜４０度に設定することが望ましい。３４度＜θ＜３８度を満足するようにするとより望ましい。これに対して、第３の導光板は正面に向けて光を導くため、θ＝略４５度とすることが望ましい。
【００５１】
このように、それぞれ指向方向をもつ導光板を２枚構造（第１導光板２１、第２導光板２２）に、正面方向へ照明するための第３導光板２３を追加した３枚構造とすることで、正面からの観察にも対応することが可能である。第１、第２導光板２１，２２ともに下からの光を透過する構造となっているため、複数枚重ねても使用可能である。また第３導光板２３の第３光源２９をＯＮするタイミングで正面から観察可能な映像が異なる。例えば、表示素子上には第１、第２映像と交互に表示されており、第１光源２０と共通のタイミングでＯＮ／ＯＦＦすることにより、正面では第１映像が観察でき、第２光源２５と共通のタイミングでＯＮ／ＯＦＦすることにより、正面では第２映像が観察できる。さらに、表示素子上で第１、第２、第３映像を交互に表示させることにより、３方向でそれぞれ異なる映像（第１映像照明２６、第２映像照明２７、第３映像照明２８）を観察することも可能である。
【００５２】
次に、３方向の指向性照明を行うにあたって中央だけ視野を狭くする方法について説明する。図７は、本発明の映像表示装置を車載モニター２００として車内に搭載した場合の例を示している。第１観察者２０１の位置に助手席、第２観察者２０２の位置に運転席、第３観察者２０３の位置に後部中央座席が位置するように設定することで第１映像の観察範囲２０３と第２映像の観察範囲２０５と第３映像の観察範囲２０４が定まり、助手席への搭乗者と運転手と後部中央座席への搭乗者とでそれぞれに対応した映像を観察することができる。例えば、運転手にはカーナビゲーションの映像やドライビング補助映像を提供しながら、同時に助手席の搭乗者にはＴＶ映像やＤＶＤ映像、ゲーム、各種情報検索など様々な映像を提供することができる。これにより、運転中の視聴が規制されているようなＴＶや映画などの映像でも、助手席にのみ提供することで、助手席の搭乗者は車が移動中であってもＴＶや映画などの映像を視聴することができる。
【００５３】
上記した３方向指向性照明において、車内での利用を考慮すると、運転席、助手席側が必要とする視野角よりも、後部座席からの利用を前提とした正面方向の視野角は小さくてもよい。そこで、正面方向の視野角が他の方向の視野角よりも小さくなるような照明の構成を考えると、図８に示すような構成が考えられる。
【００５４】
図８は、中央方向の視野の角度を狭くするための第１の構成として拡散板を用いた例を示している。図８は、３枚導光板の構成であるが、正面方向への指向性をもつ第３導光板２３が一番手前に配置されており、その後方に第１導光板２１と第２導光板２２とが配置される。さらに、第３導光板２３と第１導光板２１間に拡散板１３０が配置されている。これによって、拡散板１３０より手前に配置される第３導光板２３からの照明は拡散が小さいため視野角が狭くなり（第３映像照明範囲２８’）、拡散板１３０よりも後方に配置された導光板２１、２２からの照明は拡散が大きく視野角が大きくなる（第１映像照明範囲２６’、第２映像照明範囲２７’）。
【００５５】
このように、正面方向への照明用の第３導光板２３を一番手前に配置することにより、正面方向のみ視野角が小さい照明が可能である。
【００５６】
図９は、中央方向の視野の角度を狭くするための第２の構成として視野選択素子を用いた例を示している。ここでは、３枚の導光板２１〜２３の最前面に視野選択素子３１を配置している。視野選択素子３１とは、ある一方向からの入射光はそのまま透過し、別な方向からの入射光は拡散するように設計された素子であり、一般に知られている。ここで用いるのは、垂直に進入する光に対しては拡散が小さく、角度を付けて入射する光に対しては拡散させる作用をもつ素子を用いる。これにより正面方向である第３映像照明範囲は狭く、第１および第２映像範囲は広い観察範囲をもつ照明が可能である。
【００５７】
図１０は、３人の観察者に対してそれぞれに対応する映像を表示可能な映像表示装置の駆動タイミングの一例を説明するための図であり、図５で説明した駆動タイミング例に加え第３光源を追加した場合の例を示している。透過型表示素子２４上には第１映像（Ａ）と第２映像（Ｂ）が交互に表示されており、第１導光板２１用の光源である第１光源２０と、第２導光板２２用の光源である第２光源２５と、第３導光板２３用の光源である第３光源２９のＯＮ／ＯＦＦタイミングによって観察される映像が決定される。第１光源２０は、第１映像（Ａ）が表示されたときのみＯＮしており、この場合第１観察者は第１映像のみを観察可能である。一方、第２光源２５は第２映像（Ｂ）が表示されたときのみＯＮしており、この場合第２観察者は第２映像のみを観察可能となる。第１光源２０と第２光源２５のタイミングを入れ替えることにより観察できる映像も入れ替わることになる。
【００５８】
図１０では、第３光源２９を第１光源２０と同じタイミングとすることで、正面方向においても第１観察者と同様な映像が観察できることを示している。反対に、第３光源２９を第２光源２５と同じタイミングで駆動すれば第２観察者と同じ映像が観察できることとなる。
【００５９】
応用例としては、それぞれの映像表示タイミングに合わせて第１、第２、第３光源をＯＮすることにより、表示素子上に交互に第１映像（Ａ）、第２映像（Ｂ）、第３映像（Ｃ）の異なる映像を表示させて観察することが可能である。図１１は、このような駆動例を示している。
【００６０】
図２７は、このような表示を行うためのブロック図の一例である。図２７に示すとおり、３つの映像信号入力手段４０１，４０２，４０３からの各映像信号Ａ，Ｂ，Ｃが、高速映像切替信号処理手段４０５を介して表示パネル４０７に供給される。一方、光源Ａ（４０８），Ｂ（４０９），Ｃ（４１０）は光源発光タイミング制御手段４０６によりその発光が制御される。高速映像切替信号処理手段４０５と光源発光タイミング制御手段４０６は同期制御手段４０４により制御される。
【００６１】
図１１に示したとおり、映像信号入力手段４０１，４０２，４０３からの映像信号Ａ，Ｂ，Ｃは、同期制御手段４０４からの制御信号を受けた高速映像切替信号処理手段４０５により処理されて、表示パネル４０７には映像信号Ａ，Ｂ，Ｃがこの順で繰り返し供給され、各映像信号に対応する画像が表示される。
【００６２】
一方、光源Ａ（４０８），Ｂ（４０９），Ｃ（４１０）は、同期制御手段４０４により制御信号を受けた光源発光タイミング制御手段４０６により制御され、映像信号Ａによる画像が表示パネル４０７に表示されるのに同期して光源Ａ（４０８）がＯＮとなり、映像信号Ｂによる画像が表示パネル４０７に表示されるのに同期して光源Ｂ（４０９）がＯＮとなり、映像信号Ｃによる画像が表示パネル４０７に表示されるのに同期して光源Ｃ（４１０）がＯＮとなる。このため、各画像は光源Ａ（４０８），Ｂ（４０９），Ｃ（４１０）により光が照射される方向で観察され、３方向に異なる画像を高速で切り替えて配給することができる。なお、各光源Ａ（４０８），Ｂ（４０９），Ｃ（４１０）は、対応する画像が完全に次の画像に切り替わるタイミングよりも若干早くＯＦＦとなり、ある方向で観察されるべき画像に他の方向で観察されるべき画像が混合することを防止している。
【００６３】
さらに、その観察領域内に観察者がいなければ、その領域に対応した光源をＯＦＦにすることにより、低消費電力化、または余計な光を放出することにより生じるウインドガラスへの映り込みを無くすことができる。光源をＯＦＦにする代わりにその領域に対応した映像を黒画像としてもよい。
【００６４】
次に、２方向の指向性照明と拡散照明の切換方法について説明する。図１２は、２方向の指向性照明と拡散照明とを切り換えるために導光板前面に拡散透過素子を配置する構成を示している。本構成では、２方向で異なる映像をみるための照明手段と、２方向で同じ映像を観察するための照明手段とを切り替えることができる構成となっている。第１、第２の２つの導光板２１，２２の手前に、スイッチ３７によりＯＮ，ＯＦＦ駆動可能な拡散透過素子３２を配置することで、拡散透過素子３２がＯＮ状態のとき光はそのまま拡散なしで透過されるため、２方向の指向性をもつ照明となり、拡散透過素子３２がＯＦＦ状態のときは透過光が拡散されるため、指向性がなくなり、どの方向から見ても見やすい輝度分布となる。
【００６５】
拡散透過素子３２の一例としては、特開平５−１８８３５３に開示されているような、液晶を封入したシート状の素子で電圧のＯＮ／ＯＦＦで光の拡散度を調節できる素子を用いることができる。
【００６６】
図１３は、２方向の指向性照明と拡散照明とを切り換えるために導光板背面に拡散バックライトを配置する構成を示している。本構成では、第１、第２の２つの導光板２１、２２を配置するとともに、同導光板２１，２２の後方に拡散バックライト３３を配置する。第１、第２の２つの導光板２１、２２により２方向の指向性照明が得られるが、拡散照明に切り換える場合、拡散バックライト３３の拡散性が十分ならば、第１、第２光源２０，２５をＯＦＦ状態にしてもフラットな輝度分布が得られる。また、拡散バックライト３３の拡散性が十分でない場合には、第１、第２光源２０，２５を共にＯＮ状態にすることにより全体としてフラットな輝度分布を得ることが可能である。
【００６７】
以下に、図１４（ａ）、（ｂ）を参照して視野角の自動切り換えについて説明する。図１４（ａ）は、例えば図１２の構成において拡散透過素子３２をＯＮ状態にして、第１導光板２１及び第２導光板２２からの光束を透過させた場合を示しており、第１の光束により第１映像観察範囲２０５が形成されるとともに、第２の光束により第２映像観察範囲２０６が形成される。しかし、拡散透過素子３２をＯＦＦにして、第１導光板２１及び第２導光板２２からの光束を拡散させた場合には第１の光束により拡散作用により同一の映像観察範囲２０７が形成される。
【００６８】
同様に、図１３の構成において拡散バックライト３３をＯＦＦにした状態で第１光源２０と第２光源２５を点灯させると図１４（ａ）に示すような第１映像観察範囲２０５と第２映像観察範囲２０６とが形成される。しかし、拡散バックライト３３をＯＮにした状態で第１光源２０と第２光源２５を消灯させると図１４（ｂ）に示すような同一の映像観察範囲２０７が形成される。
【００６９】
以下に、第１方向と第２方向とで視野角を変更する方法を説明する。図１５に示すように、第１観察者２０１の位置に助手席、第２観察者２０２の位置に運転席、第３観察者２０３の位置に後部座席が配置されている場合に、第１方向と第２方向とで視野角を変化させることにより、第１観察者２０１と、第３観察者２０３とが第１の映像を観察できるように第１映像の観察範囲２０３を大きくするとともに、第２観察者２０２が第２映像を観察できるようにしたことを特徴とする。したがって助手席の第１観察者２０１と後部座席の第３観察者は例えばナビゲーション画面などの第１映像を観察することができ、運転席の第２観察者２０２はＴＶ映像などの娯楽映像としての第２映像を観察することができる。
【００７０】
図１６は、第１の方向と第２の方向とで視野角を変更するための第１の構成として図９で説明したような視野選択素子３１を２枚の導光板２１，２２の最前面に視野選択素子１３１を配置している。視野選択素子とは、ある一方向からの入射光はそのまま透過し、別な方向からの入射光は拡散するように設計された素子であり、一般に知られている。これにより、第１導光板２１からの照明光のみを大きく拡散させるとともに、第２導光板２２からの照明光は拡散されないようにすることができ、ひいては第１映像照明範囲２６’を広く、第２映像照明範囲２７’を狭くすることができる。
【００７１】
図１７は、第１の方向と第２の方向とで視野角を変更するための第２の構成として第１導光板２１の前面に第１拡散板３４を配置し、第２導光板２２の前面に第２拡散板３５を配置したことを特徴とする。このような構成によれば、第１導光板２１から射出される光は、第１拡散板３４および第２拡散板３５の２枚の拡散板を透過することにより、より大きな拡散角となり、結果的に大きな第１映像照明範囲２６’が得られる。一方、第２導光板２２から射出される光は、第２拡散板３５の１枚の拡散板のみ透過するために、第１映像照明範囲２６’と比較して小さな拡散となり、第２映像照明範囲２７’は狭いものとなる。
【００７２】
以下に、視野角の位置を変更する方法について説明する。図１８（ａ）、（ｂ）は、表示素子２４が配置される場所によって、第１観察者２０１と第２観察者２０２の観察角度が変わるようすを示している。そのため、このような観察位置のずれを補正できることが望ましい。
【００７３】
図１９は、観察位置のずれを補正するための第１の構成を示している。ここでは、現在の第１導光板２１あるいは第２導光板２２を射出角度の異なる他の導光板と交換することで観察位置のずれを補正するものである。主に導光板からの射出角度は、図４の具体的構成例で言えば光が反射する斜面部分の角度によって決まる。そのため、斜面角度の異なる導光板と交換することにより、映像観察範囲を表示素子２４が配置される位置に合わせてそれぞれの観察者に最適な方向に設定することが可能である。また、第１導光板２１、第２導光板２２とで異なる射出角となる導光板を利用することもできる。
【００７４】
図２０は、観察位置のずれを補正するための第２の構成を示している。ここでは、第１導光板２１と第２導光板２２の前面にプリズムシート３６を配置することで、導光板からの射出光の角度を変えることが可能である。第１導光板２１の前面にプリズムシート３６を配置すると、第１導光板２１及び第２導光板２２からの射出光は共にその角度が変更される。一方、第１導光板２１及び第２導光板２２間にプリズムシート３６を配置することで、第２導光板２２からの射出光のみの角度を変更することが可能である。
【００７５】
以下に、３方向指向性導光板の中央の指向性を広くした別用途の実施例について説明する。図７の説明では車載用途を想定し、中央が狭く、左右方向が広い視野角を持つ３方向の導光板構成が示してある。以下には、中央の視野角が広く、左右の視野角が狭い導光板構成と用途について説明する。
【００７６】
図２１は、中央が広い視野角となる構成例を示している。この構成では、３枚の導光板（第１導光板２１、第２導光板２２、第３導光板２３）のうち正面方向へ射出するための第３導光板２３だけが拡散板１３０の後方にあり、左右へ射出するための第１、第２導光板２１，２２は拡散板１３０の前方に配置されている。そのため、正面方向の射出光が大きく拡散されて広い視野角となり、左右方向の射出光は狭い視野角となる。
【００７７】
図２２は、中央が広い視野角となる構成の一応用例を示している。本発明を往来する通路２５０などの壁２５１に配置された通路用の表示装置３５０に利用した場合、通行人３０２が往路から観察する表示映像２と、通行人３０１が正面から観察する表示映像３と、通行人３００が復路から観察する表示映像１を１つの表示画面で用意することができる。従来、行き交う人の方向で表示する案内や広告を変えることができず、両方を表示するためには２つの表示装置が必要であった。図２２に示すように、通行する方向により異なる映像が表示可能な表示装置３５０があれば、より効率的に通行者に情報を伝達することが可能である。
【００７８】
表示画面に対して正面から観察する場合には、図２２に示すように画面に比較的近い場所からの観察となり、広い視野角が必要である。これに対して、左右から通行してくる人が表示画面を観察するときは比較的画面から離れており、また観察する角度が限定されるため狭い視野角で対応可能である。
【００７９】
図２３は、見る方向により観察される映像例を示している。通行人３００からはその進行方向にあった行き先表示案内「例：駅」が表示され、通行人３０２にもその進行方向にあった行き先表示案内「例：市役所」が表示される。一方、正面位置にいる通行人３０１は広告等が観察できるように「例：広告」が表示されており、１つの表示装置でそれぞれの位置に応じた情報が提供可能である。
【００８０】
次に、第１方向と第２方向とで指向角の大きさを異ならせるための構成例について説明する。図２４（ａ）、（ｂ）は、導光板へ入射する光源のＮＡ（Numerical Aperture）を変更する実施形態を示している。図２４（ａ）は指向性が小さいときＮＡを小さくする場合、図２４（ｂ）は指向性が大きいときにＮＡを大きくする場合を示している。
【００８１】
光源３００と照明レンズ３０１により、導光板３０２の端面から光を入射させるが、そのときのＮＡが大きいほど、導光板３０２の斜面部３０３での反射光、および導光板３０２からの射出光の視野角を大きくすることが可能である。
【００８２】
さらに、少なくとも２枚以上の導光板でそれぞれ異なるＮＡをもつ光を導光板端面から入射させることで、観察方向によって異なる指向性をもつ照明を行うことが可能である。すなわち、図２４（ｃ）に示すように、第１光源３００−１からの光は第１照明レンズ３０１−１を介して第１導光板３０２−１に入射された後、大きな視野角で出射され、第２光源３００−２からの光は第２照明レンズ３０１−２を介して第２導光板３０２−２に入射された後、小さな視野角で出射される。
【００８３】
さらに、視野角の大きさを可変可能とする機構としては、光源位置と照明レンズの位置を可変可能とすることで実現可能である。
【００８４】
次に、図２５を参照して導光板の斜面形状を変える構成について説明する。図２５（ａ）に示すように、導光板３０２の斜面部３０４が平面形状であると斜面部３０４に入射した光の反射角は一様であり、導光板３０２からの射出光の指向性は狭い（視野角小さい）ものとなる。一方、導光板３０２の斜面部が曲面形状であると該斜面部に入射した光の反射角は、斜面部の表面位置によって様々な角度に反射されるため、導光板３０２からの射出光の指向性は広いものとなる。曲面形状の例としては、例えば図２５（ｂ）に示すような凸面形状の斜面部３０５や、図２５（ｃ）に示すような凹面形状の斜面部３０６があげられる。
【００８５】
さらに、少なくとも２枚以上の導光板で、異なる斜面形状の導光板を用いることで、観察方向によって異なる指向性をもつ照明を行うことができる。
【００８６】
上記した実施形態によれば、低コストで、クロストークが少なくかつ照明ムラの少ないという効果を奏する。
【図面の簡単な説明】
【００８７】
【図１】２人の観察者に対してそれぞれに対応する映像を表示可能な表示パネル２４から射出される映像の観察可能な範囲を水平断面で表わした図である。
【図２】２人の観察者に対してそれぞれに対応する映像を表示可能な映像表示装置の概略構成を示す図である。
【図３】２人の観察者に対してそれぞれに対応する映像を表示可能な映像表示装置の照明手段の水平断面図である。
【図４】２人の観察者に対してそれぞれに対応する映像を表示可能な映像表示装置の具体的な断面構造を示す模式図である。
【図５】２人の観察者に対してそれぞれに対応する映像を表示可能な映像表示装置の駆動タイミングの一例を説明するための図である。
【図６】３方向の指向性照明を実現するための基本的な構成を示す図である。
【図７】本発明の映像表示装置を車載モニター２００として車内に搭載した場合の例を示す図である。
【図８】正面方向の視野角が他の方向の視野角よりも小さくなるような照明の構成を示す図である。
【図９】中央方向の視野の角度を狭くするための第２の構成として視野選択素子を用いた例を示す図である。
【図１０】３人の観察者に対してそれぞれに対応する映像を表示可能な映像表示装置の駆動タイミングの一例を説明するための図である。
【図１１】第１映像（Ａ）、第２映像（Ｂ）、第３映像（Ｃ）の異なる映像を表示するために、それぞれの映像表示タイミングに合わせて第１、第２、第３光源をＯＮするタイミングを示す図である。
【図１２】２方向の指向性照明と拡散照明とを切り換えるために導光板前面に拡散透過素子を配置する構成を示す図である。
【図１３】２方向の指向性照明と拡散照明とを切り換えるために導光板背面に拡散バックライトを配置する構成を示す図である。
【図１４】視野角の自動切り換えについて説明するための図である。
【図１５】第１方向と第２方向とで視野角を変更する方法を説明するための図である。
【図１６】第１の方向と第２の方向とで視野角を変更するために視野選択素子を配置した構成を示す図である。
【図１７】第１の方向と第２の方向とで視野角を変更するために２つの拡散板を配置した構成を示す図である。
【図１８】表示素子が配置される場所によって、第１観察者と第２観察者の観察角度が変わるようすを示す図である。
【図１９】観察位置のずれを補正する第１の構成を示す図である。
【図２０】観察位置のずれを補正する第２の構成を示す図である。
【図２１】中央が広い視野角となる構成例を示す図である。
【図２２】中央が広い視野角となる構成の一応用例を示す図である。
【図２３】見る方向により観察される映像例を示す図である。
【図２４】導光板へ入射する光源のＮＡを変更する実施形態を示す図である。
【図２５】導光板の斜面形状を変える構成について説明するための図である。
【図２６】導光板の斜面部を拡大して示す図である。
【図２７】それぞれの映像表示タイミングに合わせて第１、第２、第３光源をＯＮすることにより３つの映像を表示させるためのブロック図である。
【符号の説明】
【００８８】
２０…第１光源、２１…第１導光板、２２…第２導光板、２３…第３導光板、２４…透過型表示素子、２５…第２光源、２６…第１映像照明、２７…第２映像照明、２８…第３映像照明、１２３…光拡散素子。
【図１】
2007033633.tif 000003
【図２】
2007033633.tif 000004
【図３】
2007033633.tif 000005
【図４】
2007033633.tif 000006
【図５】
2007033633.tif 000007
【図６】
2007033633.tif 000008
【図７】
2007033633.tif 000009
【図８】
2007033633.tif 000010
【図９】
2007033633.tif 000011
【図１０】
2007033633.tif 000012
【図１１】
2007033633.tif 000013
【図１２】
2007033633.tif 000014
【図１３】
2007033633.tif 000015
【図１４】
2007033633.tif 000016
【図１５】
2007033633.tif 000017
【図１６】
2007033633.tif 000018
【図１７】
2007033633.tif 000019
【図１８】
2007033633.tif 000020
【図１９】
2007033633.tif 000021
【図２０】
2007033633.tif 000022
【図２１】
2007033633.tif 000023
【図２２】
2007033633.tif 000024
【図２３】
2007033633.tif 000025
【図２４】
2007033633.tif 000026
【図２５】
2007033633.tif 000027
【図２６】
2007033633.tif 000028
【図２７】
2007033633.tif 000029